(57)【特許請求の範囲】
【請求項１】
被記録媒体を印刷して排紙口から排出する印刷装置に設けられ、当該印刷装置の排紙口から排出された前記被記録媒体を収納する排紙受けカバーであって、
前記印刷装置の側面の少なくとも一部を開閉可能にして構成された蓋体に設けられた係合部に係合し、前記排紙受けカバーが固定された状態に保つ保持部と、
前記排紙口を覆うように設けられ、当該排紙口から排出された前記被記録媒体が当接し、当該当接した被記録媒体を前記側面に沿う方向に案内する受け部と、
前記蓋体と所定間隔を開けて平行に前記受け部から延設され、前記受け部で前記側面に沿う方向に案内された前記被記録媒体を前記側面に沿って案内する板状の上面部と、
前記排紙口より排出され、前記受け部により前記側面に沿う方向に案内された前記被記録媒体を、前記蓋体の側面と前記上面部との間の空間で収納する排紙収納部と
を備え、
前記蓋体に設けられた係合部に前記排紙受けカバーの前記保持部が係合することで、前記排紙受けカバーは前記開閉可能な蓋体に固定されていることを特徴とする印刷装置の排紙受けカバー。
【請求項２】
前記排紙口と前記受け部との間隔は、前記被記録媒体に発生した反りを逆方向に屈曲させて補正する所定距離となっていることを特徴とする請求項１に記載の印刷装置の排紙受けカバー。
【請求項３】
前記受け部は前記印刷装置の排紙口が形成された側面に略平行に延びて前記側面との間で前記被記録媒体を取り出すための開口を形成し、前記受け部には前記開口の端縁から切欠が形成され、収納された前記被記録媒体が前記切欠を介して露出することを特徴とする請求項１又は２に記載の印刷装置の排紙受けカバー。
【請求項４】
前記蓋体は前記印刷装置の前記側面に沿ってスライド操作可能に設けられると共に、前記蓋体にはスライド操作時の滑り防止のための凹凸部が形成され、前記排紙受けカバーの前記保持部は前記凹凸部の凹凸面に係合する凸部形状を有することを特徴とする請求項１乃至３の何れかに記載の印刷装置の排紙受けカバー。
【請求項５】
前記受け部の前記排紙口への対向面は、前記排紙口から排出された前記被記録媒体を排紙収納部へ案内するように傾斜面に形成されていることを特徴とする請求項１乃至４の何れかに記載の印刷装置の排紙受けカバー。
【請求項６】
未使用の被記録媒体を収納した用紙パッケージを収納する予備用紙パッケージ収納部を設けたことを特徴とする請求項１乃至５の何れかに記載の印刷装置の排紙受けカバー。
【請求項７】
前記排紙受けカバーの内部には、前記排紙口より排出された前記被記録媒体を収納する排紙収納部と前記予備用紙パッケージ収納部とを隔離する隔壁が、前記印刷装置の排紙口が形成された側面から所定間隔を隔てて略平行に延設されていることを特徴とする請求項６に記載の印刷装置の排紙受けカバー。
【請求項８】
前記予備用紙パッケージ収納部の厚みは、前記用紙パッケージの厚みより若干薄いことを特徴する請求項７に記載の印刷装置の排紙受けカバー。
【請求項９】
前記排紙受けカバーは、前記印刷装置の排紙口が形成された側面から所定間隔を隔てて略平行に延設されている外側面を有し、当該外側面に、突起状の足が複数設けられていることを特徴とする請求項１乃至８の何れかに記載の印刷装置の排紙受けカバー。
【請求項１０】
請求項１乃至９の何れかに記載の排紙受けカバーを備えたことを特徴とする印刷装置。
【発明の詳細な説明】
【０００１】
【発明の属する技術分野】
本発明は、印刷装置から排出された被記録媒体を受ける排紙受けカバーに関し、詳細には、排紙された被記録媒体を整列させるとともに、被記録媒体に発生した反りを補正するように構成した印刷装置の排紙受けカバー及び印刷装置に関する。
【０００２】
【従来の技術】
近年の情報機器のモバイル化傾向にともない、携帯情報端末装置等で用いることのできる小型の印刷装置に対する需要が高まっている。これら小型の印刷装置は、携帯するのに便利となる反面、中型や大型の印刷装置に備えられている排紙トレー等の筐体外部に突出する部分の多い部品などの構成が省かれている場合があり、必ずしも利用者にとって扱い易い構成と言えない場合がある。
【０００３】
従来の小型の印刷装置の一例では、印刷装置本体ケース内に、用紙を積層状態で収納できるように用紙大の凹型形状をなす収納部が設けられ、収納部の用紙搬送方向の前方近傍には、搬送方向と直交する方向に回転軸方向のある給紙ローラが設けられている。また、収納部内縁に出退可能となるように設けられたガイド部材は、バネ等の弾性力を利用して用紙の搬送方向側面を押圧して拘束し、用紙を整列させるとともに搬送時の斜行を防いでいる。印刷を行う場合、用紙は、給紙ローラにて搬送部に引き込まれ、用紙の搬送方向の先端と、その進行方向に対峙するように設けられた斜面壁との摩擦力によって、給紙ローラが送出する際に重送された用紙は単葉に分離される。搬送部では、プラテンローラと、円弧状の断面形状を有するペーパーガイドの凹面部とが対向し、その間隙に引き込まれた用紙は、ペーパーガイドに押圧されてプラテンローラに密着する。用紙は、ペーパーガイドの凹面に案内され、プラテンローラの回転により印刷部へと搬送される。印刷部では、プラテンローラと対向するように設けられたサーマルヘッドが、搬送部に案内された用紙をプラテンローラとの間に挟みつつ、印刷を行う。印刷された用紙は、印刷部の下流の排紙口より本体ケース外に排出される。
【０００４】
【発明が解決しようとする課題】
しかしながら、従来の小型の印刷装置では、筐体表面上に排出された用紙を整列させるためのガイド等は設けられておらず、連続して印刷を行った場合、先に排出された用紙が後から排出される用紙に押し出され、本体ケースの周りに散乱されてしまうことがあった。また、用紙には搬送時や印刷時に与えられる外力や熱等の影響による反りが発生し、反ったまま本体ケース外に排出されるという問題点があった。
【０００５】
本発明は上記課題を解決するためになされたものであり、排出された用紙を整列させるとともに、用紙に発生した反りを逆方向に屈曲させることで補正することができる印刷装置の排紙受けカバー及び印刷装置を実現することを目的とする。
【０００６】
【課題を解決するための手段】
上記目的を達成するために、請求項１に係る発明の印刷装置の排紙受けカバーは被記録媒体を印刷して排紙口から排出する印刷装置に設けられ、当該印刷装置の排紙口から排出された前記被記録媒体を収納する排紙受けカバーであって、前記印刷装置の側面の少なくとも一部を開閉可能にして構成された蓋体に設けられた係合部に係合し、前記排紙受けカバーが固定された状態に保つ保持部と、前記排紙口を覆うように設けられ、当該排紙口から排出された前記被記録媒体が当接し、当該当接した被記録媒体を前記側面に沿う方向に案内する受け部と、前記蓋体と所定間隔を開けて平行に前記受け部から延設され、前記受け部で前記側面に沿う方向に案内された前記被記録媒体を前記側面に沿って案内する板状の上面部と、前記排紙口より排出され、前記受け部により前記側面に沿う方向に案内された前記被記録媒体を、前記蓋体の側面と前記上面部との間の空間で収納する排紙収納部とを備え、前記蓋体に設けられた係合部に前記排紙受けカバーの前記保持部が係合することで、前記排紙受けカバーは前記開閉可能な蓋体に固定されていることを特徴とする。
【０００７】
この構成の印刷装置の排紙受けカバーでは、排紙受けカバーが印刷装置の側面の少なくとも一部を開閉可能にして構成された蓋体に設けられ、排出された被記録媒体を受け、収納することができる。
【０００８】
また、請求項２に係る発明の印刷装置の排紙受けカバーは、請求項１に記載の発明の構成に加え、前記排紙口と前記受け部との間隔は、前記被記録媒体に発生した反りを逆方向に屈曲させて補正する所定距離となっていることを特徴とする構成となっている。
【０００９】
この構成の印刷装置の排紙受けカバーでは、請求項１に係る発明の作用に加え、排出された被記録媒体に発生した反りを逆方向に屈曲させて補正することができる。
【００１０】
【００１１】
【００１２】
【００１３】
【００１４】
また、請求項３に係る発明の印刷装置の排紙受けカバーは、請求項１又は２に記載の発明の構成に加え、前記受け部は前記印刷装置の排紙口が形成された側面に略平行に延びて前記側面との間で前記被記録媒体を取り出すための開口を形成し、前記受け部には前記開口の端縁から切欠が形成され、収納された前記被記録媒体が前記切欠を介して露出することを特徴とする構成となっている。
【００１５】
この構成の印刷装置の排紙受けカバーでは、請求項１又は２の何れかに係る発明の作用に加え、排紙受けカバーに形成された切欠から、収納された被記録媒体を露出することができる。
【００１６】
【００１７】
【００１８】
また、請求項４に係る発明の印刷装置の排紙受けカバーは、請求項１乃至３の何れかに記載の発明の構成に加え、前記蓋体は前記印刷装置の前記側面に沿ってスライド操作可能に設けられると共に、前記蓋体にはスライド操作時の滑り防止のための凹凸部が形成され、前記排紙受けカバーの前記保持部は前記凹凸部の凹凸面に係合する凸部形状を有することを特徴とする構成となっている。
【００１９】
この構成の印刷装置の排紙受けカバーでは、請求項１乃至３の何れかに係る発明の作用に加え、排紙受けカバーの保持部は印刷装置の蓋体の凹凸部に係合することができる。
【００２０】
また、請求項５に係る発明の印刷装置の排紙受けカバーでは、請求項１乃至４に記載の発明の構成に加え、前記受け部の前記排紙口への対向面は、前記排紙口から排出された前記被記録媒体を排紙収納部へ案内するように傾斜面に形成されていることを特徴とする構成となっている。
【００２１】
この構成の印刷装置の排紙受けカバーでは、請求項１乃至４に係る発明の作用に加え、受け部の前記排紙口への対向面は傾斜面に形成されているので、排紙口から排出された前記被記録媒体を排紙収納部へ確実に案内することができる。
【００２２】
また、請求項６に係る発明の印刷装置の排紙受けカバーは、請求項１乃至５の何れかに記載の発明の構成に加え、未使用の被記録媒体を収納した用紙パッケージを収納する予備用紙パッケージ収納部を設けたことを特徴とする構成となっている。
【００２３】
この構成の印刷装置の排紙受けカバーでは、請求項１乃至５の何れかに係る発明の作用に加え、予備用紙パッケージ収納部に、未使用の被記録媒体を収納した用紙パッケージを収納することができる。
【００２４】
また、請求項７に係る発明の印刷装置の排紙受けカバーでは、請求項６に記載の発明の構成に加え、前記排紙受けカバーの内部には、前記排紙口より排出された前記被記録媒体を収納する排紙収納部と前記予備用紙パッケージ収納部とを隔離する隔壁が、前記印刷装置の排紙口が形成された側面から所定間隔を隔てて略平行に延設されていることを特徴とする。
【００２５】
この構成の印刷装置の排紙受けカバーでは、請求項６に係る発明の作用に加え、前記排紙受けカバーの内部の隔壁により、排紙口より排出された被記録媒体を収納する排紙収納部と予備用紙パッケージ収納部とを隔離することができる。
【００２６】
また、請求項８に係る発明の印刷装置の排紙受けカバーでは、請求項７に記載の発明の構成に加え、前記予備用紙パッケージ収納部の厚みは、前記用紙パッケージの厚みより若干薄いことを特徴する構成となっている。
【００２７】
この構成の印刷装置の排紙受けカバーでは、請求項７に係る発明の作用に加え、予備用紙パッケージ収納部に用紙パッケージを厚さ方向に撓ませて収納すると、予備用紙パッケージ収納部の隔壁により用紙パッケージが押圧されるので、予備用紙パッケージ収納部からの用紙パッケージの脱落及び用紙パッケージからの用紙の脱落を防止できる。
【００２８】
また、請求項９に係る発明の印刷装置の排紙受けカバーでは、請求項１乃至８の何れかに記載の発明の構成に加え、前記排紙受けカバーは、前記印刷装置の排紙口が形成された側面から所定間隔を隔てて略平行に延設されている外側面を有し、当該外側面に、突起状の足が複数設けられている。
【００２９】
この構成の印刷装置の排紙受けカバーでは、請求項１乃至８の何れかに係る発明の作用に加え、外側面に複数設けられた突起状の足により、外側面が載置部に貼り付くのを防止できる。
【００３０】
また、請求項１０に係る発明の印刷装置は、請求項１乃至９の何れかに記載の排紙受けカバーを備えている。
【００３１】
この構成の印刷装置では、請求項１乃至９の何れかに記載の排紙受けカバーを備えているので、排出された被記録媒体を収納することができる。
【００３２】
【発明の実施の形態】
以下、本発明を具体化した印刷装置の排紙受けカバー及び印刷装置の一実施の形態について、図面を参照して説明する。まず、本発明に係る構造について、図１乃至図１２を参照して説明する。図１は、本発明の一実施の形態である排紙受けカバー１３を設けた印刷装置１の外観を示す斜視図である。図２は、図１に示す２点鎖線Ａ−Ａ’における矢視方向からみた印刷機構部１１の部分断面図である。図３は、用紙パッケージ６の斜視図である。図４は、排紙受けカバー１３の平面図である。図５は、図４に示す矢視方向Ｅからみた排紙受けカバー１３の正面図である。図６は、図４に示す矢視方向Ｆからみた排紙受けカバー１３の背面図である。図７は、図４に示す矢視方向Ｇからみた排紙受けカバー１３の左側面図である。図８は、図４に示す矢視方向Ｈからみた排紙受けカバー１３の右側面図である。図９は、排紙受けカバー１３の底面図である。図１０は、図４に示す２点鎖線Ｂ−Ｂ’における矢視方向からみた排紙受けカバー１３の部分断面図である。図１１は、図４に示す２点鎖線Ｃ−Ｃ’における矢視方向からみた排紙受けカバー１３の部分断面図である。図１２は、図４に示す２点鎖線Ｄ−Ｄ’における矢視方向からみた排紙受けカバー１３の部分断面図である。
【００３３】
図１に示すように、印刷装置１の本体ケース２は、平面視、略矩形の形状を有し、長手方向の長さが約１６ｃｍ、短手方向の長さが約１０ｃｍと略Ａ６サイズの大きさで、厚みが約２ｃｍの、上面が解放された直方体形状をしている。本体ケース２は、ケース側面２ａ，２ｂ，２ｃ，２ｄを有し、ケース側面２ａの略中間部には、ケース側面２ａの長手方向に沿って各種インターフェース等が配置されている。すなわち、ケース側面２ａの図中右手方向から、電源供給を受けるためのＡＣアダプタコネクタ６２、外部機器とＵＳＢ規格に基づいた通信を行うためのＵＳＢコネクタ３１、印刷装置１の電源のＯＮ／ＯＦＦを行う電源スイッチ６６が設けられている。さらに、ケース側面２ｄには、図示外のストラップや盗難防止用ワイヤー等を繋止するための繋止孔１５が設けられ、ケース側面２ｃには、外部機器と赤外線での通信を行うための赤外線通信ポート９０（図１６参照）が設けられている。また、本体ケース２の上面には、本体ケース２の長手方向の一縁端寄りに本体上面の約１／４を占める大きさの固定カバー３と、それを除く部分に収納部５とが形成されている。固定カバー３に覆われた本体ケース２の内部には、後述の印刷機構部１１が設けられている。また、印刷機構部１１には、印刷後に被記録媒体を印刷装置１から排出するための排紙口２８が、固定カバー３の収納部５側の縁端部に設けられている。さらに、収納部５を覆うようにケースカバー４が設けられている。
【００３４】
ケースカバー４は、収納部５を覆う大きさで略矩形の形状をしたカバー上面４ａと、その長手側の両側面に接合されたカバー側面４ｂと、そのカバー側面４ｂの一端部に接合された開閉軸４ｃと、カバー上面４ａとカバー側面４ｂとで囲まれた凹部の、開閉軸４ｃの設けられた固定端側に対する自由端側近傍に設けられた爪４ｈ、用紙押さえ４ｄ，バネ４ｇ及びロック片４ｅ，４ｆとで形成される。また、本体ケース２の長手側の両外側面の一端部（図中左手方向）にはスライド溝２ｅが設けられ、ケースカバー４は、このスライド溝２ｅと開閉軸４ｃとで本体ケース２に係合している。この係合部を回転軸として、ケースカバー４は開閉される。尚、ケースカバー４を開く場合には、ケースカバー４を固定カバー３と離間する方向へスライド溝２ｅの長さ分だけ摺動させ、開閉軸４ｃを回転軸として開くようになっている。また、カバー側面４ｂの自由端側近傍には、ケースカバー４の開閉時に指等をかけ、開閉しやすくするための滑り止め部４ｉ（図１４及び図１５参照）が設けられている。尚、本発明における凹凸部とは、滑り止め部４ｉのことである。
【００３５】
ケースカバー４の上面には、排出されるカット紙６ａ（図３参照）を、その壁面とカバー上面４ａとの間に案内し、連続して排紙されることによりカット紙６ａが本体ケース２外に散乱されるのを防ぐための排紙受けカバー１３が設けられ、保持部１３ａ，１３ｂ，１３ｃ，１３ｄによってケースカバー４に固定されている。排紙受けカバー１３の構造については後述する。
【００３６】
収納部５は、本体ケース２の上面の固定カバー３を除く部分に、固定カバー３に対してケースカバー４の厚み分だけ低い位置に、固定カバー３方向を開口部とするコの字形に設けられた上面部５ｆと、この開口部に面し、上面部５ｆの中央部に設けられた凹部の底面をなす底面部５ａと、底面部５ａの四辺を囲んで凹部の側面をなす側面部５ｂ，５ｃ，５ｄ，５ｅとによって形成されている。底面部５ａは略Ａ７サイズで、図３に示す、用紙パッケージ６を収納する。
【００３７】
図３に示すように、用紙パッケージ６は、例えばＡ７サイズの、所定の大きさに裁断された用紙であるカット紙６ａが複数枚積層された状態で、カット紙６ａの、平面視、長手方向の面積の約半分を覆う大きさの用紙ケース６ｂに収納されている。このカット紙６ａが、本発明における被記録媒体である。また、カット紙６ａと略同じ大きさで、カット紙６ａの、用紙ケース６ｂから露出した部分を外圧から保護する補助シート６ｃが、積層されたカット紙６ａの片面側に添えられて用紙ケース６ｂと一体的に形成されている。
【００３８】
印刷装置１の小型化を実現するために、印刷装置１では後述のサーマルヘッド２５を印刷ヘッドとして利用し、被記録媒体として感熱紙が用いられる。ここで、印刷ヘッドとしてサーマルヘッド２５を用いるのは、インクジェット式やインクリボン式の印刷ヘッドのようなヘッドの往復機構を必要としないので小型化を図ることができ、また、消耗品が用紙のみで済むので経済的にも効率が良いからである。また、感熱紙の種類としては、サーマルヘッドの加熱により染料と顕色剤とが化学結合して発色する発色層を有する感熱発色タイプのものや、加熱により穿孔される穿孔層を基材層上に積層した感熱穿孔タイプのもの等、種々のものを使用できる。
【００３９】
また、図１に示す収納部５の凹部の長手側の各側面部５ｃ，５ｅと上面部５ｆとで成す縁部の、固定カバー３方向の一端部近傍には、ケースカバー４を閉じた場合に、ケースカバー４のロック片４ｅ，４ｆと各々係合するロック部１２，７が設けられており、閉じられたケースカバー４が容易に開くのを防止している。
【００４０】
さらに、収納部５の上面部５ｆと側面部５ｅとで成す縁部には、押圧ガイド部材８と、切欠部９とが設けられている。押圧ガイド部材８の側面にはカット紙６ａの側面と直交する方向に２筋設けられた突起部８ａが形成されており、押圧ガイド部材８は、その突起部８ａにより積層されたカット紙６ａに対し線で接し、カット紙６ａの側面にバネ等の付勢力による押圧力を加えることでカット紙６ａを整列させ、給紙時のカット紙６ａの斜行を防ぐようになっている。また、側面部５ｃの押圧ガイド部材８と対向する部位には、押圧ガイド部材８と同様に２筋の突起部分が設けられたガイド部材１０が側面部５ｃから突出する形状に形成され、押圧ガイド部材８がカット紙６ａを整列させ易くなるようにカット紙６ａの側面を支えている。切欠部９は、収納部５の上面部５ｆに対して底面部５ａ方向への傾斜面を成す斜面部９ｂと、その両側面部９ａ，９ｃとから形成され、用紙パッケージ６の脱着時において、利用者が指等を挿入し、用紙パッケージ６を取り出し易くなるように設けられている。
【００４１】
次に、図２を参照して、印刷装置１の印刷機構部１１の構造について説明する。図２に示すように、印刷機構部１１は、積層されたカット紙６ａを分離して搬送方向に給紙を行う給紙ローラ２０，分離部２１及びガイド板２７と、カット紙６ａをバネ２４による付勢力でプラテンローラ２２方向に押圧するペーパーガイド２３と、カット紙６ａをサーマルヘッド２５へ搬送するプラテンローラ２２と、バネ２６の付勢力でプラテンローラ２２方向に押圧され、そのプラテンローラ２２上でカット紙６ａに加熱印刷を行うサーマルヘッド２５とが設けられている。分離部２１には、ケースカバー４の閉蓋時に爪４ｈが係止され、ケースカバー４にかかる不用意な外力によってケースカバー４が開くのを防止する爪押さえ２１ａと、カット紙６ａの重送を防止するための傾斜面２１ｂと、カット紙６ａに発生した反りを補正しつつ、カット紙６ａが本体ケース２外へと排出されるよう案内するための傾斜面２１ｃとが設けられている。
【００４２】
次に、図４乃至図１２を参照して、排紙受けカバー１３の構造について説明する。図４乃至図１２に示すように、排紙受けカバー１３は、平面視、コの字形状で板状の縁部１３ｅ，１３ｆ，１３ｇを有し、縁部１３ｅ及び縁部１３ｇの外縁側の各両端部近傍には、ケースカバー４（図１参照）に固定するための略矩形で板状をした保持部１３ａ，１３ｃ及び１３ｂ，１３ｄが、縁部１３ｅ，１３ｇと直交する面方向に各々形成されている。保持部１３ａ〜１３ｄの先端には、縁部１３ｅ，１３ｇの長手方向に沿った内面側に保持爪１３ｏ，１３ｐ，１３ｑ，１３ｒが突設され、縁部１３ｅ，１３ｇとの間にケースカバー４のカバー側面４ｂを挟むようになっている。また、保持部１３ａ，１３ｂには、スライド挿入されるカバー側面４ｂの挿入される位置を制限するストッパ１３ｓ，１３ｔと、ケースカバー４の滑り止め部４ｉと係合してカバー側面４ｂ上で排紙受けカバー１３がすべり難くする凸部１３ｕ，１３ｖとが設けられている。
【００４３】
排紙受けカバー１３の縁部１３ｅ〜１３ｇの内縁側には、縁部１３ｅ〜１３ｇと直交する面方向に設けられた板状の側面１３ｈ，１３ｉ，１３ｊが設けられ、この側面１３ｈ〜１３ｊで囲われた空間を覆うように、縁部１３ｅ〜１３ｇと平行する方向に、板状の上面１３ｋが設けられている。また、上面１３ｋの４つの側端部の中で側面１３ｈ〜１３ｊが設けられていない側端部、すなわち縁部１３ｅ〜１３ｇ及び側面１３ｈ〜１３ｊが形成するコの字状の開口部分を覆う上面１３ｋの端部には、上面１３ｋの中央部に向かってＶ字状を成す切欠部１３ｍが設けられている。尚、本発明における排紙収納部とは、側面１３ｈ〜１３ｊと上面１３ｋとで囲む部分である。
【００４４】
排紙受けカバー１３の上面１３ｋの内面（装着時のケースカバー４側の面）において、排紙口２８と対峙する面近傍が受け部１３ｘであり、本発明における受け部を構成する。また、この受け部１３ｘより側面１３ｉ側の上面１３ｋの内面と、側面１３ｈ〜１３ｊとで囲まれた部分が支持部１３ｙであり、本発明における支持部を構成する。受け部１３ｘと支持部１３ｙについては後述する。
【００４５】
次に、図２を参照して、印刷装置１の印刷機構について説明する。積層されたカット紙６ａは、閉じられたケースカバー４に設けられているバネ４ｇの付勢力が用紙押さえ４ｄ及び補助シート６ｃを介して加えられることで、給紙ローラ２０に対して押圧される。押圧によって最下層のカット紙６ａに密着された給紙ローラ２０の回転に伴い、給紙ローラ２０との間の摩擦力によってカット紙６ａは搬送される。ここで、カット紙６ａは、相互の摩擦力の影響で複数枚が重送される場合がある。そこで、複数枚が重送されたまま搬送されることを防止するため、分離部２１の、給紙ローラ２０に対向する側の面には下方向への傾斜面２１ｂが形成されており、搬送されたカット紙６ａがこの傾斜面２１ｂに触突すると、カット紙６ａの搬送方向先端面と、この傾斜面２１ｂとの摩擦力により、重送されたカット紙６ａが単葉に分離される。
【００４６】
次に、分離されたカット紙６ａが傾斜面２１ｂに案内されてガイド板２７に触突すると、カット紙６ａはガイド板２７の面方向に従って水平方向に搬送され、ペーパーガイド２３へと案内される。ペーパーガイド２３は円弧状の断面形状を成しており、搬送されたカット紙６ａの搬送方向はペーパーガイド２３の凹面部に沿う方向に矯正される。給紙ローラ２０と連動して回転するプラテンローラ２２の外周面はペーパーガイド２３の内面と略密着状態にあり、カット紙６ａはペーパーガイド２３によってプラテンローラ２２に密着するように押圧され、プラテンローラ２２との間に発生する摩擦力によってその外周面上を搬送される。
【００４７】
プラテンローラ２２の上部には、サーマルヘッド２５がプラテンローラ２２に対峙し、プラテンローラ２２に対して線接触するようにバネ２６の付勢力によって押圧されている。このため、搬送されたカット紙６ａはサーマルヘッド２５とプラテンローラ２２との間隙にはさまれる。サーマルヘッド２５では、サーマルヘッド２５のプラテンローラ２２と対抗する面側の、カット紙６ａの搬送方向と直交する方向に列設された複数の発熱素子（図示外）が印刷データに基づいてそれぞれ加熱され、この熱エネルギーによってカット紙６ａの感熱層が反応してライン印刷が行われる。印刷されたカット紙６ａはプラテンローラ２２に搬送され、分離部２１の上側の傾斜面２１ｃによって案内され、排紙口２８から印刷装置１の外方へと排紙される。このとき、利用者から印刷面が見える向き、すなわち印刷面が上向きとなって排紙される。また、プラテンローラ２２の外周に沿って搬送されたカット紙６ａは、そのプラテンローラ２２の外周と面する側の面を抱え込む方向への反りをプラテンローラ２２によって与えられるが、傾斜面２１ｃによってその逆の方向への反りが与えられ、カット紙６ａに発生した反りは補正される。
【００４８】
次に、図１３乃至図２４を参照して、排紙受けカバー１３の印刷装置１への装着について説明する。図１３は、印刷装置１の平面図である。図１４は、図１３に示す矢視方向Ｅからみた印刷装置１の正面図である。図１５は、図１３に示す矢視方向Ｆからみた印刷装置１の背面図である。図１６は、図１３に示す矢視方向Ｇからみた印刷装置１の左側面図である。図１７は、図１３に示す矢視方向Ｈからみた印刷装置１の右側面図である。図１８は、印刷装置１の底面図である。図１９は、排紙受けカバー１３を装着した印刷装置１の平面図である。図２０は、図１９に示す矢視方向Ｅからみた排紙受けカバー１３を装着した印刷装置１の正面図である。図２１は、図１９に示す矢視方向Ｆからみた排紙受けカバー１３を装着した印刷装置１の背面図である。図２２は、図１９に示す矢視方向Ｇからみた排紙受けカバー１３を装着した印刷装置１の左側面図である。図２３は、図１９に示す矢視方向Ｈからみた排紙受けカバー１３を装着した印刷装置１の右側面図である。図２４は、排紙受けカバー１３を装着した印刷装置１の底面図である。
【００４９】
図１及び図１３乃至図１８に示すように、排紙受けカバー１３が装着されていない印刷装置１では、閉じられたケースカバー４のカバー上面４ａは固定カバー３の上面と平面を成し、また、カバー側面４ｂはケース側面２ａ，２ｂと平面を成し、外観的に一体感を持たせるようになっている。図１８に示すように、本体ケース２の底面には凹凸のついたデザインが施され、この凹凸によって薄い金属材料で形成されているこの底面の強度が保たれるようになっている。排紙受けカバー１３はケースカバー４に装着されるが、そのための取り付け孔等は特に設けられていない。すなわち、排紙受けカバー１３の装着方法に工夫がされており、排紙受けカバー１３が取り外された場合においても印刷装置１の全体の美観を損なわないような配慮がされている。
【００５０】
次に、図１９乃至図２４に示すように、排紙受けカバー１３は、ケースカバー４のカバー側面４ｂを外側から保持部１３ａ〜１３ｄで押さえ込むようにしてケースカバー４に装着される。その装着は、ケースカバー４の開蓋状態（図１参照）で行われる。まず、保持部１３ｃ，１３ｄの側面と保持爪１３ｑ，１３ｒと縁部１３ｅ，１３ｇとで形成される溝部分に、ケースカバー４の自由端側からカバー側面４ｂがスライド挿入され、そのケースカバー４に沿って、保持部１３ｃ，１３ｄがケースカバー４の固定端側方向にスライドされる。次に、保持部１３ａ，１３ｂの側面と保持爪１３ｏ，１３ｐと縁部１３ｅ，１３ｇとで形成される溝部分にカバー側面４ｂがスライド挿入される。さらに、保持部１３ａ，１３ｂに設けられているストッパ１３ｓ，１３ｔがカバー側面４ｂの縁端に触突すると、排紙受けカバー１３は、ケースカバー４の固定端側にそれ以上奥へのスライドができなくなる。この場合において、カバー側面４ｂの自由端側近傍に設けられている滑り止め部４ｉ（図１４及び図１５参照）が保持部１３ａ，１３ｂの凸部１３ｕ，１３ｖと係合するので、排紙受けカバー１３は、挿入方向と逆の方向へのスライドが抑制される。滑り止め部４ｉと凸部１３ｕ，１３ｖ（図１１参照）との係合は、外部から所定の外力を与えると外れるようになっており、排紙受けカバー１３は、ケースカバー４への挿入の場合と逆の手順でケースカバー４から脱着される。
【００５１】
尚、排紙受けカバー１３は、剛性で透明の樹脂、例えばＰＣＳ樹脂等の材料で成形された樹脂製品であり、印刷装置１に装着した場合、その上面のほぼ２／３を覆う程の大きさである。排紙受けカバー１３は、小型携帯性を有する印刷装置１に装着された状態で利用者の手中等に保持された場合でも十分な強度を保つ一方、印刷装置１からの脱着が繰り返されても印刷装置１に傷等をつけにくい。排紙受けカバー１３は透明の樹脂で成形されているので、装着時にケースカバー４のカバー上面４ａのデザインを損なわない。また、角部分や切欠部１３ｍ等は丸みを帯びたデザインが施されており、印刷装置１と一体感を持たせるよう配慮されている。
【００５２】
次に、図２５乃至図２７を参照して、カット紙６ａが排紙される様について排紙受けカバー１３の装着時と非装着時を比較して説明する。図２５は、図１に示す２点鎖線Ａ−Ａ’における矢視方向からみた排紙受けカバー１３の脱着時のカット紙６ａの排紙状況を示す断面図である。図２６は、図１に示す２点鎖線Ａ−Ａ’における矢視方向からみた排紙受けカバー１３の装着時のカット紙６ａの排紙状況を示す断面図である。図２７は、排出されたカット紙６ａが排紙受けカバー１３に収納された状態を示す印刷装置１の平面図である。
【００５３】
図２５に示すように、サーマルヘッド２５によってプラテンローラ２２上で印刷されたカット紙６ａは、分離部２１の傾斜面２１ｃに案内され、排紙口２８から印刷装置１の外部へと排出される。カット紙６ａは、プラテンローラ２２とペーパーガイド２３によって、サーマルヘッド２５の印刷面側が外側となる方向に反る癖が与えられるが、印刷時にサーマルヘッド２５に与えられる熱がまだカット紙６ａに残る状態で、傾斜面２１ｃによって印刷面が内側となる方向に曲がりが与えられるので、カット紙６ａの反りは補正される。しかし、例えばカット紙６ａが複写紙等である場合、サーマルヘッド２５はカット紙６ａに通常よりも多くの熱量を与えて印刷を行うので、印刷後にカット紙６ａに残る熱も大きくなる。この場合、熱によって柔軟になったカット紙６ａが傾斜面２１ｃに反りを与えられたまま印刷装置１の外部に排出されて外気冷却されると、カット紙６ａは傾斜面２１ｃに与えられた方向の反り、すなわち印字面を包み込む方向に反ったままの状態となる。その結果、カット紙６ａは印刷装置１の上面から大きく離れる方向に飛び出すように排紙口２８から排出され、自重によって印刷装置１の上面に沿う。
【００５４】
しかし、図２６に示すように、印刷装置１に排紙受けカバー１３を装着した場合、排紙口２８から排出されたカット紙６ａは、排紙受けカバー１３の受け部１３ｘに触突し、この面に案内され傾斜面２１ｃと逆の方向に曲げられる。従って、傾斜面２１ｃによってカット紙６ａに与えられた反りは、この受け部１３ｘによって補正されることになる。また、ケースカバー４のカバー上面４ａと排紙受けカバー１３の上面１３ｋとの間隙は反ったカット紙６ａの反りを補正するのに十分な間隔であり、側面１３ｈ〜１３ｊと上面１３ｋとカバー上面４ａとで囲まれたこの収納部に印刷後のカット紙６ａが保持された場合、発生した反りの方向にカット紙６ａが曲がるのを収納部の内壁に押さえられることで反りが補正される。排紙口２８から排出されたカット紙６ａは、図２７に示すように、排紙受けカバー１３の壁面１３ｈ〜１３ｊと上面１３ｋと、ケースカバー４のカバー上面４ａとで囲まれた部分に収納される。
【００５５】
以上説明したように、本実施の形態の印刷装置１の排紙受けカバー１３では、印刷装置１のケースカバー４上に着脱可能な排紙受けカバー１３を装着させることで、印刷後のカット紙６ａをこの排紙受けカバー１３内に整列させ保持することができ、さらに、カット紙６ａに発生した反りを補正することができる。さらに、排紙口２８を排紙受けカバー１３で覆うことによって、使用時に図示外の携帯情報端末装置を、排紙受けカバー１３の上に載置したまま印刷を行うこともできる。また、排紙受けカバー１３によって排紙口２８が保護されるので、印刷装置１を手に持ったまま印刷を行うこともできる。
【００５６】
また、図示外のスタンド等を用い、印刷装置１を起てた状態で印刷を行った場合、すなわちケース側面２ｄ（図１参照）を底面として印刷を行った場合、印刷後のカット紙６ａはその自重で、支持部１３ｙにその搬送方向の下流側の端部分が落ち込む。連続して印刷を行った場合、印刷されたカット紙６ａの下流側の端部分が支持部１３ｙに収納されるので、後から排出されるカット紙６ａが、先に排出されたカット紙６ａのうち最後に排出されたカット紙６ａの紙面上に触突し、先に印刷されたカット紙６ａの間に割り込んだりすることがない。従って、排紙受けカバー１３では、カット紙６ａを印刷順に保持することができる。
【００５７】
また、図２７に示すように、排紙受けカバー１３に切欠部１３ｍを設けることによって、印刷されたカット紙６ａを排紙受けカバー１３から露出させ、カット紙６ａを取り出し易くさせることができる。また、排紙受けカバー１３は透明の樹脂で成形されているので、印刷後のカット紙６ａを排紙受けカバー１３から取り出すことなく印刷内容の確認をすることができる。
【００５８】
さらに、印刷装置１の開閉するケースカバー４に排紙受けカバー１３を装着したので、例えば紙詰まりや用紙交換等でケースカバー４の開蓋が必要となる場合でも、図２８に示すように、排紙受けカバー１３を脱着させる必要なくケースカバー４を開くことができる。
【００５９】
次に、図３０〜図３３を参照して、排紙受けカバー１３の第２の実施の形態を説明する。図３０は、第２の実施の形態の排紙受けカバー１３が装着された印刷装置１の中央断面図であり、図３１は、第２の実施の形態の排紙受けカバー１３の平面図であり、図３２は、第２の実施の形態の排紙受けカバー１３の側面図であり、図３３は、図３１のＭ−Ｍ’線における矢視方向の断面図である。
【００６０】
図３０〜図３３に示すように、排紙口２８に対向する排紙受けカバー１３の支持部１３ｙは、ケースカバー４のカバー上面４ａに対して、所定の鋭角となる傾斜面となっている。このように、排紙受けカバー１３の支持部１３ｙに傾斜を持たせることにより、排紙受けカバー１３の支持部１３ｙにおける余分な隙間を減少して、排紙口２８から排出されるカット紙６ａが排紙受けカバー１３の支持部１３ｙで屈曲することを防止できる。また、このように、構成することによって、排紙受けカバー１３内にストックされる印刷済みのカット紙６ａの枚数が多くなっても、排紙口２８から排出されるカット紙６ａが屈曲して詰まることを防止できる。
【００６１】
次に、図３４〜図３７を参照して、排紙受けカバー１３の第３の実施の形態を説明する。図３４は、第３の実施の形態の排紙受けカバー１３が装着された印刷装置１の中央断面図であり、図３５は、第３の実施の形態の排紙受けカバー１３の平面図であり、図３６は、第２の実施の形態の排紙受けカバー１３の側面図であり、図３７は、図３５のＮ−Ｎ’線における矢視方向の断面図である。
【００６２】
図３４〜図３７に示すように、排紙受けカバー１３内には、排紙受けカバー１３の内には、排紙受けカバー１３の上面１３ｋと平行に形成された平面状の壁である隔壁１３ｚが設けられている。この隔壁１３ｚは、ケースカバー４のカバー上面４ａとは、カット紙６ａが収納された用紙パッケージ６の厚みより若干短い距離を離して設けられており、ケースカバー４のカバー上面４ａと隔壁１３ｚとの空間が予備用紙パッケージ収納部１８となっており、この予備用紙パッケージ収納部１８に予備の用紙パッケージ６が収納可能となっている。予備用紙パッケージ収納部１８の厚みは、予備用の用紙パッケージ６の厚みより、予備用の用紙パッケージ６をその厚さ方向に撓ませて収納可能な範囲で若干薄くなっているので、予備用の用紙パッケージ６を厚さ方向に撓ませて予備用紙パッケージ収納部１８に押し込んで収納させると、予備用紙パッケージ収納部１８の隔壁１３ｚにより用紙パッケージ６が押圧されるので、予備用紙パッケージ収納部１８からの用紙パッケージ６の脱落及び用紙パッケージ６からのカット紙６ａの脱落を防止できる。
【００６３】
次に、図３８及び図３９を参照して、排紙受けカバー１３の第４の実施の形態を説明する。図３８は、第４の実施の形態の排紙受けカバー１３の平面図であり、図３９は、第４の実施の形態の排紙受けカバー１３が装着された印刷装置１を塩化ビニール等のシート７０の上に置いた状態を示す側面図である。
【００６４】
図３８及び図３９に示すように、排紙受けカバー１３の外側面である上面１３ｋの四隅の近傍には、突起状の足１９が４カ所、凸設されている。この足１９を設けたことにより、排紙受けカバー１３を下にして、印刷装置１をシート７０の上に置いても、樹脂製の均一な平面である排紙受けカバー１３の上面１３ｋが塩化ビニール等からなるシート７０から所定間隔離れるので、排紙受けカバー１３の上面１３ｋがシート７０に貼り付いてしまったり、塩化ビニール等が排紙受けカバー１３の上面１３ｋに付着したりすることを防止できる。
【００６５】
尚、本発明は、各種の変形が可能なことはいうまでもない。例えば、図２９に示すように、排紙受けカバー１３の印刷されたカット紙６ａを取り出すための開口側が排紙口２８側となるように、排紙受けカバー１３を装着できるようにしても良い。切欠部１３ｍと受け部１３ｘとが干渉し、カット紙６ａの反りの補正が阻害される場合は、図２９に示すように、切欠部１３ｍの位置を変更し、受け部１３ｘが十分機能するだけの領域を確保することで対処することができる。
【００６６】
また、排紙受けカバー１３は透明な樹脂でなくともよく、印刷装置１と同色の材料や十分な強度の得られる材料等を用いても良い。また、用紙受けカバー１３によって、印刷装置１をキズ等から保護する保護カバーとしても用いることができるようにしても良い。
【００６７】
【発明の効果】
以上説明したように、請求項１に係る発明の印刷装置の排紙受けカバーでは、排紙受けカバーが印刷装置の側面の少なくとも一部を開閉可能にして構成された蓋体に設けられ、排出された被記録媒体を受け、収納することができる。従って、排出された被記録媒体を整列して収納することができる。
【００６８】
また、請求項２に係る発明の印刷装置の排紙受けカバーでは、請求項１に係る発明の効果に加え、排出された被記録媒体に発生した反りを逆方向に屈曲させて補正することができる。従って、排出された被記録媒体に発生した反りを補正して整列し、収納することができる。
【００６９】
【００７０】
【００７１】
また、請求項３に係る発明の印刷装置の排紙受けカバーでは、請求項１又は２に係る発明の効果に加え、排紙受けカバーに形成された切欠から、収納された被記録媒体を露出することができる。従って、収納された被記録媒体を簡単に取り出すことができる。
【００７２】
【００７３】
また、請求項４に係る発明の印刷装置の排紙受けカバーでは、請求項１乃至３の何れかに係る発明の効果に加え、排紙受けカバーの収納部は印刷装置の蓋体の凹凸部に係合することができる。従って、蓋体に排紙受けカバーの取り付け孔等を設けることなく排紙受けカバーを固定することができる。
【００７４】
また、請求項５に係る発明の印刷装置の排紙受けカバーでは、請求項１乃至４の何れかに係る発明の効果に加え、受け部の排紙口への対向面は傾斜面に形成されているので、排紙口から排出された被記録媒体を収納部へ確実に案内することができる。
【００７５】
また、請求項６に係る発明の印刷装置の排紙受けカバーでは、請求項１乃至５の何れかに係る発明の効果に加え、予備用紙パッケージ収納部に、未使用の被記録媒体を収納した用紙パッケージを収納することができる。
【００７６】
また、請求項７に係る発明の印刷装置の排紙受けカバーでは、請求項６に係る発明の効果に加え、前記排紙受けカバーの内部の隔壁により、排紙口より排出された被記録媒体を収納する収納部と予備用紙パッケージ収納部とを形成し、収納部に、排紙口より排出された被記録媒体を収納し、予備用紙パッケージ収納部に予備用紙パッケージを収納することができるので、予備用紙パッケージの携帯が容易にできる。
【００７７】
また、請求項８に係る発明の印刷装置の排紙受けカバーでは、請求項７に係る発明の効果に加え、予備用紙パッケージ収納部に用紙パッケージをその厚さ方向に撓ませて収納すると、予備用紙パッケージ収納部の隔壁により用紙パッケージが押圧されるので、予備用紙パッケージ収納部からの用紙パッケージの脱落及び用紙パッケージからの用紙の脱落を防止できる。
【００７８】
また、請求項９に係る発明の印刷装置の排紙受けカバーでは、請求項１乃至８の何れかに係る発明の効果に加え、外側面に、複数設けられた突起状の足により、外側面が載置部に貼り付くのを防止できる。
【００７９】
また、請求項１０に係る発明の印刷装置は、請求項１乃至９の何れかに記載の排紙受けカバーを備えているので、排出された被記録媒体を収納することができる。
【００８０】
【図面の簡単な説明】
【図１】図１は、本発明の一実施の形態である排紙受けカバー１３を設けた印刷装置１の外観を示す斜視図である。
【図２】図２は、図１に示す２点鎖線Ａ−Ａ’における矢視方向からみた印刷機構部１１の部分断面図である。
【図３】図３は、用紙パッケージ６の斜視図である。
【図４】図４は、排紙受けカバー１３の平面図である。
【図５】図５は、図４に示す矢視方向Ｅからみた排紙受けカバー１３の正面図である。
【図６】図６は、図４に示す矢視方向Ｆからみた排紙受けカバー１３の背面図である。
【図７】図７は、図４に示す矢視方向Ｇからみた排紙受けカバー１３の左側面図である。
【図８】図８は、図４に示す矢視方向Ｈからみた排紙受けカバー１３の右側面図である。
【図９】図９は、排紙受けカバー１３の底面図である。
【図１０】図１０は、図４に示す２点鎖線Ｂ−Ｂ’における矢視方向からみた排紙受けカバー１３の部分断面図である。
【図１１】図１１は、図４に示す２点鎖線Ｃ−Ｃ’における矢視方向からみた排紙受けカバー１３の部分断面図である。
【図１２】図１２は、図４に示す２点鎖線Ｄ−Ｄ’における矢視方向からみた排紙受けカバー１３の部分断面図である。
【図１３】図１３は、印刷装置１の平面図である。
【図１４】図１４は、図１３に示す矢視方向Ｅからみた印刷装置１の正面図である。
【図１５】図１５は、図１３に示す矢視方向Ｆからみた印刷装置１の背面図である。
【図１６】図１６は、図１３に示す矢視方向Ｇからみた印刷装置１の左側面図である。
【図１７】図１７は、図１３に示す矢視方向Ｈからみた印刷装置１の右側面図である。
【図１８】図１８は、印刷装置１の底面図である。
【図１９】図１９は、排紙受けカバー１３を装着した印刷装置１の平面図である。
【図２０】図２０は、図１９に示す矢視方向Ｅからみた排紙受けカバー１３を装着した印刷装置１の正面図である。
【図２１】図２１は、図１９に示す矢視方向Ｆからみた排紙受けカバー１３を装着した印刷装置１の背面図である。
【図２２】図２２は、図１９に示す矢視方向Ｇからみた排紙受けカバー１３を装着した印刷装置１の左側面図である。
【図２３】図２３は、図１９に示す矢視方向Ｈからみた排紙受けカバー１３を装着した印刷装置１の右側面図である。
【図２４】図２４は、排紙受けカバー１３を装着した印刷装置１の底面図である。
【図２５】図２５は、図１に示す２点鎖線Ａ−Ａ’における矢視方向からみた排紙受けカバー１３の脱着時のカット紙６ａの排紙状況を示す断面図である。
【図２６】図２６は、図１に示す２点鎖線Ａ−Ａ’における矢視方向からみた排紙受けカバー１３の装着時のカット紙６ａの排紙状況を示す断面図である。
【図２７】図２７は、排出されたカット紙６ａが排紙受けカバー１３に収納された状態を示す印刷装置１の平面図である。
【図２８】図２８は、排紙受けカバー１３を装着した状態でケースカバー４を開蓋した場合の印刷装置１の側面図である。
【図２９】図２９は、排紙受けカバー１３の向きを変更して印刷装置１に装着した場合の変形例を示す平面図である。
【図３０】図３０は、第２の実施の形態の排紙受けカバー１３が装着された印刷装置１の中央断面図である。
【図３１】図３１は、第２の実施の形態の排紙受けカバー１３の平面図である。
【図３２】図３２は、第２の実施の形態の排紙受けカバー１３の側面図である。
【図３３】図３３は、図３１のＭ−Ｍ’線における矢視方向の断面図である。
【図３４】図３４は、第３の実施の形態の排紙受けカバー１３が装着された印刷装置１の中央断面図である。
【図３５】図３５は、第３の実施の形態の排紙受けカバー１３の平面図である。
【図３６】図３６は、第２の実施の形態の排紙受けカバー１３の側面図である。
【図３７】図３７は、図３５のＮ−Ｎ’線における矢視方向の断面図である。
【図３８】図３８は、第４の実施の形態の排紙受けカバー１３の平面図である。
【図３９】図３９は、第４の実施の形態の排紙受けカバー１３が装着された印刷装置１を塩化ビニール等のシート７０の上に置いた状態を示す側面図である。
【符号の説明】
１    印刷装置
４    ケースカバー
４ａ  カバー上面
４ｉ  滑り止め部
６ａ  カット紙
１３    排紙受けカバー
１３ａ〜ｄ  保持部
１３ｕ，ｖ  凸部
１３ｋ  上面
１３ｍ  切欠部
１３ｘ  受け部
１３ｙ  支持部
１３ｚ  隔壁
１９    足
２８  排紙口
【図１】
0003873882.tif 000002
【図２】
0003873882.tif 000003
【図３】
0003873882.tif 000004
【図４】
0003873882.tif 000005
【図５】
0003873882.tif 000006
【図６】
0003873882.tif 000007
【図７】
0003873882.tif 000008
【図８】
0003873882.tif 000009
【図９】
0003873882.tif 000010
【図１０】
0003873882.tif 000011
【図１１】
0003873882.tif 000012
【図１２】
0003873882.tif 000013
【図１３】
0003873882.tif 000014
【図１４】
0003873882.tif 000015
【図１５】
0003873882.tif 000016
【図１６】
0003873882.tif 000017
【図１７】
0003873882.tif 000018
【図１８】
0003873882.tif 000019
【図１９】
0003873882.tif 000020
【図２０】
0003873882.tif 000021
【図２１】
0003873882.tif 000022
【図２２】
0003873882.tif 000023
【図２３】
0003873882.tif 000024
【図２４】
0003873882.tif 000025
【図２５】
0003873882.tif 000026
【図２６】
0003873882.tif 000027
【図２７】
0003873882.tif 000028
【図２８】
0003873882.tif 000029
【図２９】
0003873882.tif 000030
【図３０】
0003873882.tif 000031
【図３１】
0003873882.tif 000032
【図３２】
0003873882.tif 000033
【図３３】
0003873882.tif 000034
【図３４】
0003873882.tif 000035
【図３５】
0003873882.tif 000036
【図３６】
0003873882.tif 000037
【図３７】
0003873882.tif 000038
【図３８】
0003873882.tif 000039
【図３９】
0003873882.tif 000040